(57)【特許請求の範囲】
【請求項１】
自走式車椅子に取り付けるタイヤカバーであって、
カバーと、カバーを車椅子に取り付ける取付部とからなり、
カバーと取付部は薄板状をしており、
取付部は、２個のＵ字ボルトを通す４個のボルト穴を有し、その上部は折り返し加工され、カバーの外側端と反対側の一端から上方に向けてカバーと垂直に取り付けられて、カバーと一体加工され、
取付部のボルト穴には、背もたれパイプとシートパイプをそれぞれＵ字ボルトのＵ部分で挟み込んだ２個のＵ字ボルトを通し、ワッシャーとナットを用いて取付部を背もたれパイプとシートパイプに結合させ、
カバーは、背もたれパイプからシートパイプまでを含むタイヤの円周の４分の１の長さを有し、タイヤの円周に沿って円弧状をなすと共に、その外側部分はタイヤの形状に沿って湾曲し、
ハンドリムを操作する手や腕や服がタイヤに触れないようにタイヤを覆うことを特徴とするタイヤカバー
【請求項２】
カバーの外側端が、タイヤの外側端の位置と同じ高さの位置にあるか又は下の位置にあり、且つ、タイヤとリームの結合部の位置より上にあることを特徴とする請求項１記載のタイヤカバー
【請求項３】
タイヤカバーの外側部分の先端部分が、タイヤの形状に沿って湾曲している状態よりもタイヤ側に入り込んだ形状になっていることを特徴とする請求項１又は請求項２のいずれか記載のタイヤカバー
【発明の詳細な説明】
【技術分野】
【０００１】
本発明は、ハンドリムを操作して動かす自走式車椅子のタイヤカバーに関する。
【背景技術】
【０００２】
現在広く使用されている車椅子は、後輪の外側に後輪より径を小さくしたハンドリムを取り付け、ハンドリムを回転させることにより後輪を回転させて走行する自走式車椅子である。自走式車椅子は、自宅、病院、介護施設等いろいろな場所で利用され、自走式車椅子を利用する者は、車椅子に乗っていろいろな場所に移動する。
【０００３】
ハンドリムの付いた自走式車椅子で移動する場合、両手でハンドリムを操作するため、両腕、両手、服の袖などが後輪のタイヤに接することがある。
【０００４】
しかし、車椅子のタイヤは地面や床に直接触れ、非衛生的である。各種病原菌がタイヤに付着していることもありうる。
【０００５】
そこで、車椅子を衛生的に利用するため、ハンドリムを握る手、腕、服などがタイヤに接することを防ぐタイヤカバーが必要となる。タイヤカバーに関する発明や考案は従来から存在したが、それらは、ハンドリムを握る手、腕、服などがタイヤに接することを防ぐには必ずしも十分なものとはいえない。また、従来のタイヤカバーは、ハンドリムを手で操作する車椅子の操作性や車椅子が本来持つ美観（デザイン）を損なうものもある。
【先行技術文献】
【特許文献】
【０００６】
【特許文献１】特開平６−２５４１２０号公報
【特許文献２】実用新案３０２９００５号公報
【特許文献３】特開２００３−１２６１６７号公報
【特許文献４】特開２０１３−１３６９８号公報
【発明の概要】
【発明が解決しようとする課題】
【０００７】
自走式車椅子を衛生的に利用するため、ハンドリムを操作する手、腕、服などがタイヤに接することを防ぐタイヤカバーを設ける必要があるが、その際、ハンドリムを使って車椅子を操作するという車椅子本来の操作性が損なわれないようにする必要がある。また、タイヤカバーを設けることによって、車椅子が本来持つ美観（デザイン）を損なわないようにする必要もある。
【０００８】
特許文献１は、車輪カバーがタイヤの外側を覆う構造になっていないため、ハンドリムを握る手、腕、服などがタイヤの外側に触れる可能性を否定できない。また、肘掛に取り付けられた車輪カバーは、ハンドリムを操作する車椅子本来の操作性や美観を損なう。さらに、車輪カバーは両面接着テープやホック等で肘掛に取り付けられているだけであり、不安定である。
【０００９】
特許文献２も、タイヤカバーがタイヤの外側を覆う構造になっていないため、ハンドリムを握る手、腕、服などがタイヤの外側に触れる可能性を否定できない。また、タイヤカバーは、シート状の部材（皮、繊維製品等）からなり、ファスナーやホックで車椅子に取り付けられているので、不安定であり、車椅子本来の美観を損なう。
【００１０】
特許文献３も、泥よけ部材がタイヤの外側を覆う構造になっていないため、ハンドリムを握る手、腕、服などがタイヤの外側に触れる可能性を否定できない。なお、特許文献３は、車椅子の泥よけ装置であり、ハンドリムの操作時に腕や手などがタイヤに触れないようにする本発明とは目的が異なる。目的の違いから、特許文献３の発明ではタイヤの内側を覆う取り付け部を設けるなど構造上の違いもある。
【００１１】
特許文献４は、ハンドリムがあるにもかかわらず、タイヤを操作して走行する癖のある人のために、伸縮可能なタイヤカバーを設け、タイヤカバーの上からタイヤを操作し、走行するためのタイヤカバーであり、本発明とは目的も構造も全く異なる。
【００１２】
そこで本発明は、自走式車椅子を衛生的に利用するため、ハンドリムを操作する手、腕、服などがタイヤに接することを完全に防ぐタイヤカバーを提供すると共に、ハンドリムを使って車椅子を操作するという車椅子本来の操作性や車椅子が本来持つ美観（デザイン）が損なわれないようなタイヤカバーを提供することを課題とする。
【課題を解決するための手段】
【００１３】
前記課題を解決するために、本発明では以下のような手段を考えた。第１の手段は、自走式車椅子に取り付けるタイヤカバーであって、カバーと、カバーを車椅子に取り付ける取付部とからなり、カバーと取付部は薄板状をしており、取付部は、２個のＵ字ボルトを通す４個のボルト穴を有し、その上部は折り返し加工され、カバーの外側端と反対側の一端から上方に向けてカバーと垂直に取り付けられて、カバーと一体加工され、取付部のボルト穴には、背もたれパイプとシートパイプをそれぞれＵ字ボルトのＵ部分で挟み込んだ２個のＵ字ボルトを通し、ワッシャーとナットを用いて取付部を背もたれパイプとシートパイプに結合させ、カバーは、背もたれパイプからシートパイプまでを含むタイヤの円周の４分の１の長さを有し、タイヤの円周に沿って円弧状をなすと共に、その外側部分はタイヤの形状に沿って湾曲し、ハンドリムを操作する手や腕や服がタイヤに触れないようにタイヤを覆うことを特徴とするタイヤカバーである。
【００１４】
第２の手段は、カバーの外側端が、タイヤの外側端の位置と同じ高さの位置にあるか又は下の位置にあり、且つ、タイヤとリームの結合部の位置より上にあることを特徴とする第１の手段記載のタイヤカバーである。
【００１５】
第３の手段は、タイヤカバーの外側部分の先端部分が、タイヤの形状に沿って湾曲している状態よりもタイヤ側に入り込んだ形状になっていることを特徴とする第１の手段又は第２の手段のいずれか記載のタイヤカバーである。
【００１６】
本発明では、カバーがタイヤの円周に沿って円弧状をなし、且つ、その外側部分はタイヤの形状に沿ってタイヤを覆うように湾曲しているため、ハンドリムを操作する手、腕、服などがタイヤに触れることがないようにカバーでタイヤを覆うことができる。カバーの外側部分が湾曲してタイヤの外側部分の全部を覆う場合はもちろんであるが、そうでなくとも、カバーの外側部分が湾曲して少なくともタイヤの外側の上半分（タイヤの外側端から上の部分）を覆う場合には、ハンドリムを操作する手、腕、服などがタイヤに触れることがないようにタイヤをカバーで覆うことができる。また、カバーと取付部が薄板状で、コンパクト且つシンプルなため、ハンドリムの操作性を損なうことがなく、車椅子本来の美観（デザイン）も損なうことがない。
【発明の効果】
【００１７】
本発明によりハンドリムを操作する手、腕、服などがタイヤに接することを完全に防ぐことができ、自走式車椅子を衛生的に利用することができる。
【００１８】
また、取付部とカバーが一体加工されていることから強度が確保されると共に、カバー自体も、タイヤの円周に沿って円孤状をなし、外側部分はタイヤの形状に沿って湾曲していることから、強度が確保できる。このため、薄板状で、非常にコンパクト且つシンプルなタイヤカバーを製造することが可能となり、  車椅子本来の操作性を維持でき、且つ、車椅子が持つ本来の美観（デザイン）も損なわない。
【図面の簡単な説明】
【００１９】
【図１】タイヤカバー装着斜視図
【図２】タイヤカバー断面図１
【図３】タイヤカバー斜視図
【図４】タイヤカバー斜視図の部分拡大図
【図５】取付金具
【図６】タイヤカバー断面図２
【発明を実施するための形態】
【００２０】
以下、本発明の実施の形態を図面に基づき説明する。カバー１は、タイヤ４の形状（円周）にそって円弧状をなしている（図１、図３）。これにより、タイヤ４の円周に沿って一定の範囲でタイヤ４を覆うことができる。ハンドリム５を操作する手や腕や服などがタイヤ４に触れない範囲にわたりカバー１を設けることができれば、カバー１の長さに特に限定はないが、図１に示す通り、円周の４分の１の長さ、特に背もたれパイプ９からシートパイプ１０までを含む円周の４分の１の長さが最適な実施例である。この場合に、ハンドリム５を操作する手や腕や服などがタイヤ４に触れるのを防止できると共に、ハンドリムの操作性もよく、美観（デザイン）的にも車椅子本来のデザインを損なわずにきれいに見える。
【００２１】
また、カバーの外側部分１１はアール加工され、タイヤ４の形状に沿ってタイヤ４を覆うように湾曲している（図１、図２、図３、図４、図６）。これによって、ハンドリム５を操作する手や腕や服などがタイヤ４に触れるのを防止する目的を達成することができる。カバーの外側部分１１の縁端であるカバーの外側端１２が、タイヤ４の外側端１３（タイヤ４が外側に一番突出している部分）の真横の位置にあるか、又はそれよりも下の位置にあって、カバー１がタイヤ４の形状に沿って湾曲してタイヤ４の外側を覆う場合に、この目的を最もよく達成できる（図２、図６）。この場合には、少なくとも、タイヤ４の外側部分の上半分（タイヤの外側端１３から上の部分）がカバー１により覆われていることになる。図２は、タイヤ４の外側部分の上半分がカバー１により覆われている状態である。カバーの外側端１２がタイヤの外側端１３の真横の位置よりも下にあってカバー１がタイヤ４の形状に沿って湾曲してタイヤ４を覆う場合、カバー１は、長くてもタイヤ４とリーム１４の結合部１６の真横の位置までタイヤ４を覆えば十分であり、カバー１をそれより長くしてリーム１４まで覆う必要はない。
【００２２】
図６に示すように、一つの実施例として、カバー１の先端部分１７を内側に（タイヤ側に）入り込んだ形状にすることが考えられる。
【００２３】
カバー１は、薄板状であるが、その形状はタイヤ４の円周に沿って円孤状をなし、外側部分１１はタイヤ４の形状に沿って湾曲していることから、強度が確保できる。このため、非常にコンパクト且つシンプルなタイヤカバーを製造することが可能となり、ハンドリム５の操作を含む車椅子の操作は、タイヤカバーがない車椅子を操作する場合と変わらない状態ですることができる（操作性の維持）と共に、美観（デザイン）的にもきれいに見える。
【００２４】
取付部２は、強度を確保するため、カバー１と一体加工されている。カバー１と取付部２は、直角に結合し、取付部２の上部は折り返し加工されている。取付部２の上部の折り返し加工は、取付部２の歪みや変形をおこさないためと安全性を考慮したものである。取付部２は、カバー１と同じようにタイヤ４の円周に沿って円弧状をなしている。長さは、カバー１と同じ長さである。取付部２にはボルト穴６があいている。取付部２を車椅子に取り付けるときには、取付金具３を使用する（図５）。具体的には、Ｕ字ボルト７のＵの部分で車椅子のパイプ（例えば、背もたれパイプ９）を挟み込み、その後取付部２のボルト穴６にＵ字ボルト７のＵの部分を通し、ワッシャーとナット８で締めつけて取り付ける（図５）。
【００２５】
図５は、取付金具３であり、Ｕ字ボルト７、ワッシャー、ナット８からなる。これらは、取付部２と共にカバー１を車椅子に結合させるために使用する。結合箇所は任意に選択できるが、実施例では、背もたれパイプ９とシートパイプ１０の２箇所に取付金具３を使用してカバー１を取り付けている。前記のように、まずＵ字ボルト７のＵの部分でパイプ（背もたれパイプ９、シートパイプ１０）を挟み込み、その後取付部２のボルト穴６にＵ字ボルト７のＵの部分を通し、ワッシャーとナット８で締めつけ、取付部２をパイプに結合させてカバー1を車椅子に取り付ける（図５）。
【００２６】
カバー１、取付部２、取付金具３の材質に限定はないが、ステンレス製か、アルミニウム製が理想である。カバー１と取付部２は、軽量化を図るためアルミニウム製がよいが、取付金具３は、Ｕ字ボルト７自体の強度や取付部２のボルト穴６への締め付けに対する強度を確保するためステンレス製がよい。
【００２７】
以上、実施の形態について述べたが、本発明は上記実施の形態に限定されるものではなく、本発明の趣旨に反しない限り様々な実施の形態が考えられる。
【符号の説明】
【００２８】
１  カバー  ２  取付部  ３  取付金具  ４  タイヤ  ５  ハンドリム  ６  ボルト穴  ７  ボルト  ８  ナット  ９  背もたれパイプ  １０  シートパイプ  １１  カバーの外側部分  １２  カバーの外側端  １３タイヤの外側端  １４  リーム  １５  スポーク  １６  リーム結合部  １７  先端部分
【要約】
【課題】
ハンドリムの付いた自走式車椅子で移動する場合、ハンドリムを握る手や服などがタイヤに接することがある。しかし、タイヤは地面や床に直接触れ、非衛生的である。そこで、車椅子を衛生的に利用するため、ハンドリムを握る手や服などがタイヤに接することを防ぐタイヤカバーが必要となる。また、タイヤカバーを取り付けることにより、車椅子本来の操作性や美観（デザイン）も損なわないようにする必要もある。
【解決手段】
自走式車椅子に取り付けるタイヤカバーであって、カバーと、カバーを車椅子に取り付ける取付部とからなり、カバーと取付部は薄板状をしており、カバーはタイヤの円周に沿って円弧状をなすと共に、その外側部分はタイヤの形状に沿って湾曲し、ハンドリムを操作する腕や手や服がタイヤに触れないようにタイヤを覆うことを特徴とするタイヤカバーを提供する。
【選択図】図１【図１】
0005611408.tif 000002
【図２】
0005611408.tif 000003
【図３】
0005611408.tif 000004
【図４】
0005611408.tif 000005
【図５】
0005611408.tif 000006
【図６】
0005611408.tif 000007